(57)【要約】【課題】プレカット業者における在庫管理を不要にすることが可能なプレカット管理システム、プレカット管理プログラムおよびプレカット管理方法の提供。【解決手段】各住宅メーカから発注された各住宅物件用のプレカット製品を木材から切断して製造する各プレカット業者から、各木材業者に対してのプレカット製品の製造に必要な本数の木材の発注を受け付ける受注手段４１と、各木材業者が受注した木材の本数から各プレカット業者に対して納品した木材の在庫本数を差し引いた残り本数に基づいて各プレカット業者に納品する木材のバンドル数を算出するバンドル数算出手段４２と、各プレカット業者にバンドル数単位で納品する木材の本数から、受注した木材の本数を差し引くとともに、各プレカット業者に対して納品した木材の在庫本数を加えた本数を、各プレカット業者における木材の在庫本数として算出する在庫本数算出手段４３とを含む。【選択図】図５
2011134083.tif 000002
【特許請求の範囲】
【請求項１】
各住宅メーカから発注された各住宅物件用のプレカット製品を木材から切断して製造する各プレカット業者から、各木材業者に対しての前記プレカット製品の製造に必要な本数の木材の発注を受け付ける受注手段と、
前記各木材業者が前記各プレカット業者に対して納品した木材の在庫本数を記憶する記憶手段と、
前記各木材業者が前記受注手段により前記各プレカット業者から受注した木材の本数から前記記憶手段に記憶された前記各プレカット業者に対して納品した木材の在庫本数を差し引いた残り本数に基づいて前記各プレカット業者に納品する木材のバンドル数を算出するバンドル数算出手段と、
前記各プレカット業者にバンドル数単位で納品する木材の本数から、前記受注手段により前記各プレカット業者から受注した木材の本数を差し引くとともに、前記記憶手段に記憶された前記各プレカット業者に対して納品した木材の在庫本数を加えた本数を、前記各プレカット業者における木材の在庫本数として算出し、前記記憶手段に記憶する在庫本数算出手段と
を含むプレカット管理システム。
【請求項２】
前記各住宅メーカから発注された住宅物件の設計値データから算出された木拾データに基づいて前記各プレカット業者が前記各木材業者に対して前記プレカット製品の製造に必要な本数の木材の発注を行う発注手段を含む請求項１記載のプレカット管理システム。
【請求項３】
前記受注手段、記憶手段、バンドル数算出手段、在庫本数算出手段および発注手段は、前記各住宅メーカ、各プレカット業者および各木材業者の各コンピュータにより電気通信回線を通じてアクセスされるサーバコンピュータ上に構成されたものである請求項２記載のプレカット管理システム。
【請求項４】
コンピュータを、
各住宅メーカから発注された各住宅物件用のプレカット製品を木材から切断して製造する各プレカット業者から、各木材業者に対しての前記プレカット製品の製造に必要な本数の木材の発注を受け付ける受注手段と、
前記各木材業者が前記各プレカット業者に対して納品した木材の在庫本数を記憶する記憶手段と、
前記各木材業者が前記受注手段により前記各プレカット業者から受注した木材の本数から前記記憶手段に記憶された前記各プレカット業者に対して納品した木材の在庫本数を差し引いた残り本数に基づいて前記各プレカット業者に納品する木材のバンドル数を算出するバンドル数算出手段と、
前記各プレカット業者にバンドル数単位で納品する木材の本数から、前記受注手段により前記各プレカット業者から受注した木材の本数を差し引くとともに、前記記憶手段に記憶された前記各プレカット業者に対して納品した木材の在庫本数を加えた本数を、前記各プレカット業者における木材の在庫本数として算出し、前記記憶手段に記憶する在庫本数算出手段と
して機能させるためのプレカット管理プログラム。
【請求項５】
コンピュータが、各住宅メーカから発注された各住宅物件用のプレカット製品を木材から切断して製造する各プレカット業者から、各木材業者に対しての前記プレカット製品の製造に必要な本数の木材の発注を受け付けるステップと、
前記コンピュータが、前記各木材業者が前記各プレカット業者に対して納品した木材の在庫本数を記憶するステップと、
前記コンピュータが、前記各木材業者が前記各プレカット業者から受注した木材の本数から前記記憶された前記各プレカット業者に対して納品した木材の在庫本数を差し引いた残り本数に基づいて前記各プレカット業者に納品する木材のバンドル数を算出するステップと、
前記コンピュータが、前記各プレカット業者にバンドル数単位で納品する木材の本数から、前記各プレカット業者から受注した木材の本数を差し引くとともに、前記記憶された前記各プレカット業者に対して納品した木材の在庫本数を加えた本数を、前記各プレカット業者における木材の在庫本数として算出し、記憶するステップと
を含むプレカット管理方法。
【発明の詳細な説明】
【技術分野】
【０００１】
本発明は、住宅物件用のプレカット製品を木材から製造するプレカットにおけるプレカット管理システム、プレカット管理プログラムおよびプレカット管理方法に関する。
【背景技術】
【０００２】
図１０は従来のプレカット製品の流れを示すブロック図である。一般に、住宅メーカＡは、顧客から住宅の建築を受注し、住宅物件ごとに建築用図面を作成する。住宅メーカＡは、この作成した建築用図面に基づいてプレカット製品をプレカット業者Ｂへ発注する。プレカット業者Ｂは、住宅メーカＡが作成した建築用図面に合わせてＣＡＤ入力し、この入力データに基づいて、木取表や加工データ等を作成し、プレカット製品の加工に必要な原材料木材を木材業者Ｃに発注する。
【０００３】
木材業者Ｃは、受注した原材料木材を倉庫からプレカット業者Ｂに納入する。プレカット業者Ｂは、納入された原材料木材を加工データに基づいて切断してプレカット製品を製作する。製作されたプレカット製品は、プレカット業者Ｂにおいて梱包、保管され、住宅メーカＡの建築現場に納品される。このように、プレカット製品は住宅物件ごとに住宅メーカＡからプレカット業者Ｂへ発注され、必要な原材料木材は住宅物件ごとにプレカット業者Ｂから木材業者Ｃへ発注される。
【０００４】
従来、プレカット業者Ｂは、木材業者Ｃから原材料木材を購入するに際し、木材価格を抑えるため、住宅物件ごとに規定本数（例えば２０本）がまとめられたバンドル毎に購入するのが通常である。このため、未使用分は在庫となり、プレカット業者Ｂにおいて在庫管理を行うことが必要となる。
【０００５】
このようなプレカット業者における在庫管理業務を合理化するものとして、例えば特許文献１には、木材販売会社（木材業者）の自動倉庫に長さ切断装置を付帯設備し、長さ切断装置により原材料木材を所望長さに切断加工して半製品とし、この半製品をプレカット会社（プレカット業者）に供給することで、プレカット会社における原材料木材在庫を圧縮するプレカット加工システムが記載されている。
【先行技術文献】
【特許文献】
【０００６】
【特許文献１】特開２００７−１６８３９２号公報
【発明の概要】
【発明が解決しようとする課題】
【０００７】
上記特許文献１に記載のプレカット加工システムでは、導入に際して木材業者に新たに長さ切断装置を導入する必要があり、導入コストが非常に大きい。また、プレカット業者が原材料木材を発注する木材業者は１社だけとは限らないため、システムを構築するためには取引を行う全木材業者に導入する必要がある。
【０００８】
そこで、本発明においては、新たな加工装置を導入することなく、プレカット業者における在庫管理を不要にすることが可能なプレカット管理システム、プレカット管理プログラムおよびプレカット管理方法を提供することを目的とする。
【課題を解決するための手段】
【０００９】
本発明のプレカット管理システムは、各住宅メーカから発注された各住宅物件用のプレカット製品を木材から切断して製造する各プレカット業者から、各木材業者に対してのプレカット製品の製造に必要な本数の木材の発注を受け付ける受注手段と、各木材業者が各プレカット業者に対して納品した木材の在庫本数を記憶する記憶手段と、各木材業者が受注手段により各プレカット業者から受注した木材の本数から記憶手段に記憶された各プレカット業者に対して納品した木材の在庫本数を差し引いた残り本数に基づいて各プレカット業者に納品する木材のバンドル数を算出するバンドル数算出手段と、各プレカット業者にバンドル数単位で納品する木材の本数から、受注手段により各プレカット業者から受注した木材の本数を差し引くとともに、記憶手段に記憶された各プレカット業者に対して納品した木材の在庫本数を加えた本数を、各プレカット業者における木材の在庫本数として算出し、記憶手段に記憶する在庫本数算出手段とを含むものである。
【００１０】
また、本発明のプレカット管理方法は、コンピュータが、各住宅メーカから発注された各住宅物件用のプレカット製品を木材から切断して製造する各プレカット業者から、各木材業者に対してのプレカット製品の製造に必要な本数の木材の発注を受け付けるステップと、コンピュータが、各木材業者が各プレカット業者に対して納品した木材の在庫本数を記憶するステップと、コンピュータが、各木材業者が各プレカット業者から受注した木材の本数から記憶された各プレカット業者に対して納品した木材の在庫本数を差し引いた残り本数に基づいて各プレカット業者に納品する木材のバンドル数を算出するステップと、コンピュータが、各プレカット業者にバンドル数単位で納品する木材の本数から、各プレカット業者から受注した木材の本数を差し引くとともに、記憶された各プレカット業者に対して納品した木材の在庫本数を加えた本数を、各プレカット業者における木材の在庫本数として算出し、記憶するステップとを含む。
【００１１】
これらの発明によれば、各プレカット業者から各木材業者に対してのプレカット製品の製造に必要な本数の木材の発注を受け付けると、この発注に対して記憶手段に記憶された各プレカット業者に対して納品した木材の在庫本数から引き当てを行い、この引き当てを行った木材の在庫本数を各木材業者が各プレカット業者から受注した木材の本数から差し引いた残り本数に基づいて各プレカット業者に納品する木材のバンドル数を算出するので、各木材業者は各プレカット業者へバンドル数単位で木材を納品することができる。また、各プレカット業者にバンドル数単位で納品する木材の本数から、各プレカット業者から受注した木材の本数を差し引くとともに、前述の引き当てを行った木材の在庫本数を加えた本数を、各プレカット業者における木材の在庫本数として算出し、記憶手段に記憶するので、各木材業者が各プレカット業者に納品した木材の在庫本数を管理することができる。
【００１２】
ここで、本発明のプレカット管理システムは、各住宅メーカから発注された住宅物件の設計値データから算出された木拾データに基づいて各プレカット業者が各木材業者に対してプレカット製品の製造に必要な本数の木材の発注を行う発注手段を含むものであることが望ましい。これにより、住宅物件の設計値データから算出された木拾データにより容易に各プレカット業者が各木材業者に対してプレカット製品の製造に必要な本数の木材の発注を行うことが可能となる。
【００１３】
また、受注手段、記憶手段、バンドル数算出手段、在庫本数算出手段および発注手段は、各住宅メーカ、各プレカット業者および各木材業者の各コンピュータにより電気通信回線を通じてアクセスされるサーバコンピュータ上に構成されたものであることが望ましい。これにより、各住宅メーカ、各プレカット業者および各木材業者は、それぞれが新たなハードウェアを導入することなく、本発明のプレカット管理システムを利用することが可能となる。
【００１４】
本発明のプレカット管理プログラムは、コンピュータを、各住宅メーカから発注された各住宅物件用のプレカット製品を木材から切断して製造する各プレカット業者から、各木材業者に対してのプレカット製品の製造に必要な本数の木材の発注を受け付ける受注手段と、各木材業者が各プレカット業者に対して納品した木材の在庫本数を記憶する記憶手段と、各木材業者が受注手段により各プレカット業者から受注した木材の本数から記憶手段に記憶された各プレカット業者に対して納品した木材の在庫本数を差し引いた残り本数に基づいて各プレカット業者に納品する木材のバンドル数を算出するバンドル数算出手段と、各プレカット業者にバンドル数単位で納品する木材の本数から、受注手段により各プレカット業者から受注した木材の本数を差し引くとともに、記憶手段に記憶された各プレカット業者に対して納品した木材の在庫本数を加えた本数を、各プレカット業者における木材の在庫本数として算出し、記憶手段に記憶する在庫本数算出手段として機能させるためのものである。このプログラムを実行したコンピュータによれば、上記本発明のプレカット管理システムと同様の作用、効果を奏することができる。
【発明の効果】
【００１５】
本発明によれば、各木材業者は各プレカット業者へバンドル数単位で木材を納品することができ、各木材業者が各プレカット業者に納品した木材の在庫本数を管理することができるので、各木材業者が新たな加工装置を導入することなく、プレカット業者における在庫管理を不要にすることが可能となる。
【図面の簡単な説明】
【００１６】
【図１】本発明の実施の形態におけるプレカットＣＡＤ／ＣＡＭシステムの全体構成を示す概略図である。
【図２】図１の住宅メーカに配置されるコンピュータの構成を示すブロック図である。
【図３】図１のプレカット業者に配置されるコンピュータの構成を示すブロック図である。
【図４】図１の木材業者に配置されるコンピュータの構成を示すブロック図である。
【図５】図１のサーバコンピュータの構成を示すブロック図である。
【図６】２階床伏図の例を示す図である。
【図７】木拾データの例を示す図である。
【図８】横架材の単品加工図の例を示す図である。
【図９】プレカット業者と木材業者との間での木材の流通例を示す説明図である。
【図１０】従来のプレカット製品の流れを示すブロック図である。
【発明を実施するための形態】
【００１７】
図１は本発明の実施の形態におけるプレカットＣＡＤ／ＣＡＭシステムの全体構成を示す概略図、図２は図１の住宅メーカに配置されるコンピュータの構成を示すブロック図、図３は図１のプレカット業者に配置されるコンピュータの構成を示すブロック図、図４は図１の木材業者に配置されるコンピュータの構成を示すブロック図、図５は図１のサーバコンピュータの構成を示すブロック図である。
【００１８】
図１において、本発明の実施の形態におけるプレカットＣＡＤ／ＣＡＭシステムは、各住宅メーカに配置されるコンピュータ１と、各プレカット業者に配置されるコンピュータ２と、各木材業者に配置されるコンピュータ３と、コンピュータ１〜３とともにプレカット管理システムを構成するサーバコンピュータ４とを有する。サーバコンピュータ４は、コンピュータ１〜３により電気通信回線を通じてアクセスされる。
【００１９】
コンピュータ１〜３は、キーボードやポインティングデバイス等の入力装置、ディスプレイ等の表示装置等を備えたパーソナルコンピュータ等である。なお、各プレカット業者のコンピュータ２には、プレカット装置５が接続されている。
【００２０】
各住宅メーカは、コンピュータ１により各住宅物件の設計値データの入力や、各住宅物件用のプレカット製品の発注等を行う。各プレカット業者は、プレカット装置５により、各住宅メーカから発注された各住宅物件用のプレカット製品であるプレカット木材を、木材業者から納品された木材から切断して製造し、各住宅物件の建築現場へ納品する。
【００２１】
なお、各プレカット業者は、このプレカット木材の製造に先駆けて、必要な本数の木材を各木材業者に発注する。木材業者は、各プレカット業者からの木材の発注を受けて、木材をバンドル数単位で納品する。なお、本実施形態における木材は、無垢材に限らず、集成材や積層材等を使用することが可能である。
【００２２】
図２に示すように、住宅メーカに配置されるコンピュータ１は、各種設計値データ等を記憶する記憶手段１０と、住宅物件の各種設計値データを入力するＣＡＤ入力手段１１と、記憶手段１０に記憶された設計値データから伏図、竪枠図や組立図等の図面データを生成する作図手段１２と、作図手段１２により生成された図面データから加工用データを生成する加工データ生成手段１３と、サーバコンピュータ４にアクセスするサーバアクセス手段１４とを有する。
【００２３】
ＣＡＤ入力手段１１は、住宅物件の仕様（矩形）を入力し、間取り、開口部や屋根等の各種設計値データを入力するものである。ＣＡＤ入力手段１１により入力された各種設計値データは記憶手段１０に記憶される。ＣＡＤ入力手段１１としては、例えば、特開２００５−１５７８３９号公報に記載の意匠データ入力装置等を利用することができる。
【００２４】
記憶手段１０に記憶されるデータは、上述のようにＣＡＤ入力手段１１により直接入力されるか、あるいは入力された各種設計値データに基づいて自動的に算出されたものである。例えば、本実施形態においては、この設計値データには、枠組（上枠、下枠、竪枠）の位置や開口部の位置等、木拾データ等を含んでいる。なお、住宅物件の設計を他社で行う場合は、他のコンピュータにより入力されたデータをコンピュータ１に読み込むことも可能である。
【００２５】
作図手段１２は、記憶手段１０に記憶された設計値データから枠組の伏図、竪枠図や組立図等の図面を生成するものである。なお、作図手段１２は、ＣＡＤ入力手段１１に組み込んで一体に構成することも可能である。作図手段１２により生成された図面は設計値データとして記憶手段１０に記憶される。
【００２６】
図６は作図手段１２により生成された図面である２階床伏図の例を示す図である。図６に示すように、例えば、２階床伏図には、各柱、束、根太や桁の配置、寸法および仕口や、各柱等の位置を示す通り番号（Ｚ，い，ろ，・・・，ね，０，１，・・・，１５）等が記載されている。
【００２７】
図２に戻って、加工データ生成手段１３は、プレカット装置５により各木材の切断や、けがき線や記号等の印字を行うための加工用データ等を、記憶手段１０に記憶された設計値データから生成するものである。加工データ生成手段１３により生成された加工用データは、サーバアクセス手段１４を通じてサーバコンピュータ４へ送信され、サーバコンピュータ４を介してプレカット業者のコンピュータ２へ受け渡される。
【００２８】
加工用データには、木材を所定寸法および所定形状にプレカットしてプレカット木材とするためのプレカットデータと、木材の木拾データとの対応を識別するための識別データと、各プレカット木材がどこに配置され、組み立てられるのかを示すけがき線や記号等を印字するための印字データとが含まれる。
【００２９】
図７は加工データ生成手段１３により生成された木拾データの例を示す図である。木拾データには、区分、樹種、等級、木材の寸法（Ｗ×Ｈ×Ｌ）、本数、木取長、木取内容等が含まれる。木取内容には、プレカット装置５により木材から切り出される各プレカット木材を識別する符号およびその長さが含まれる。例えば、図７に示される“１０００（４７８１）”の“１０００”は各プレカット木材を識別する符号であり、“（４７８１）”はその長さを示している。
【００３０】
また、図８は加工データ生成手段１３により生成された加工用データにより加工されるプレカット木材としての横架材の単品加工図の例を示す図である。図８に示すように、この加工図には、各プレカット木材のほぞ形状などの細かな加工形状が示されている。なお、加工データ生成手段１３は、プレカット業者に配置されるコンピュータ２上に配置することも可能である。
【００３１】
サーバアクセス手段１４は、サーバコンピュータ４へアクセスし、記憶手段１０に記憶された各種設計値データや、各住宅物件用のプレカット木材の発注データ等をサーバコンピュータ４に対して送受信するものである。
【００３２】
図３に示すように、プレカット業者に配置されるコンピュータ２は、各種設計値データ、住宅メーカからの発注データ、木材業者への発注データや、加工用データ等を記憶する記憶手段２０と、サーバコンピュータ４にアクセスするサーバアクセス手段２１と、プレカット装置５へ動作指示を行うプレカット装置制御手段２２とを有する。プレカット装置５は、加工用データに基づいて木材のプレカット等の加工を行う装置である。
【００３３】
コンピュータ２は、サーバアクセス手段２１によりサーバコンピュータ４へアクセスし、前述のコンピュータ１からサーバコンピュータ４へ送信された各種設計値データや、住宅メーカからの発注データや加工データ等を受信し、記憶手段２０へ記憶する。また、プレカット業者は、コンピュータ２により、サーバコンピュータ４へアクセスし、プレカット木材の製造に必要な木材の木材業者への発注データを送信する。また、コンピュータ２は、加工データに基づいてプレカット装置制御手段２２によりプレカット装置５へ動作指示を行う。
【００３４】
図４に示すように、木材業者に配置されるコンピュータ３は、プレカット業者からの発注データ等を記憶する記憶手段３０と、サーバコンピュータ４にアクセスするサーバアクセス手段３１とを有する。
【００３５】
コンピュータ３は、サーバアクセス手段３１によりサーバコンピュータ４へアクセスし、前述のコンピュータ２からサーバコンピュータ４へ送信された発注データ等を受信し、記憶手段３０へ記憶する。
【００３６】
図５に示すように、サーバコンピュータ４は、プレカット業者に配置されるコンピュータ２がアクセスして木材の発注処理を行うための発注手段４０と、木材業者に配置されるコンピュータ３がアクセスして木材の受注処理を行うための受注手段４１と、プレカット業者に納品する木材のバンドル数を算出するバンドル数算出手段４２と、各プレカット業者における木材の在庫本数を算出する在庫本数算出手段４３と、各木材業者が各プレカット業者に対して納品した木材の在庫本数を記憶する在庫本数記憶手段４４とを有する。なお、図示しないが、サーバコンピュータ４は、前述のように各コンピュータ１〜３からアクセスした際に、各コンピュータ１〜３との間で各データのやり取りや演算処理等を行う送受信手段、演算手段や各データを記憶する記憶手段等を有している。
【００３７】
発注手段４０は、各住宅メーカから発注された住宅物件の設計値データから算出された木拾データに基づいて、プレカット業者が各木材業者に対してプレカット製品の製造に必要な本数の木材の発注処理を行う。発注手段４０により発注された発注データは、記憶手段に記憶される。各プレカット業者は、各住宅メーカから発注された複数の住宅物件の木拾データを積算集計して木材を発注したり、住宅物件ごとに集計して発注したりすることが可能である。
【００３８】
受注手段４１は、各プレカット業者から各木材業者に対してのプレカット製品の製造に必要な本数の木材の発注を受け付ける。バンドル数算出手段４１は、各木材業者がこの受注手段４１により各プレカット業者から受注した木材の本数から、在庫本数記憶手段４４に記憶された各プレカット業者に対して納品した木材の在庫本数を差し引いた残り本数に基づいて各プレカット業者に納品する木材のバンドル数を算出するものである。
【００３９】
在庫本数算出手段４３は、各木材業者が受注手段４１により各プレカット業者から受注した木材の本数から、受注手段４１により各プレカット業者から受注した木材の本数を差し引くとともに、在庫本数記憶手段４４に記憶された各プレカット業者に対して納品した木材の在庫本数を加えた本数を、各プレカット業者における木材の在庫本数として算出し、在庫本数記憶手段４４に記憶する。
【００４０】
次に、上記構成のプレカット管理システムによる処理について説明する。図９はプレカット業者と木材業者との間での木材の流通例を示す説明図である。
【００４１】
図８に示すように、プレカット業者Ａはコンピュータ２によりサーバコンピュータ４へアクセスし、各住宅メーカから発注された住宅物件の設計値データから算出された木拾データに基づいて、木材業者Ｘに対してプレカット製品の製造に必要な本数（例：１７本）の木材の発注処理を発注手段４０により行う。なお、便宜上、この時点でのプレカット業者の木材の在庫本数は０本とし、在庫本数記憶手段４４には、このプレカット業者の在庫本数として０本が記憶されているものとする。
【００４２】
次に、木材業者Ｘはコンピュータ３によりサーバコンピュータ４へアクセスし、プレカット業者Ａから木材業者Ｘに対しての木材１７本の発注を受注手段４１により受け付ける。ここで、バンドル数算出手段４２は、この発注に対して在庫本数記憶手段４４に記憶されたプレカット業者Ａに対して納品した木材の在庫本数から引き当てを行い、この引き当てを行った木材の本数を木材業者Ｘがプレカット業者Ａから受注した木材の本数から差し引いた残り本数に基づいて各プレカット業者に納品する木材のバンドル数を算出する。この例では、この時点でのプレカット業者Ａにおける在庫本数は前述のように０本であり、プレカット業者Ａに納品する木材のバンドル数は１となる。
【００４３】
そして、在庫本数算出手段４３は、プレカット業者Ａにバンドル数単位で納品する木材の本数から、プレカット業者Ａから受注した木材の本数および前述の引き当てを行った木材の在庫本数を差し引いた残り本数を、プレカット業者Ａにおける木材の在庫本数として算出し、在庫本数記憶手段４４に記憶する。この例では、プレカット業者Ａにバンドル数１であるため、納品する木材の本数は２０本であり、受注した本数１７本を差し引くとともに在庫本数０本を加えた本数３本を、プレカット業者Ａにおける木材の在庫本数として在庫本数記憶手段４４に記憶する。
【００４４】
次に、プレカット業者Ａから木材１６本の発注を受注手段４１により受け付けると、バンドル数算出手段４２は、在庫本数記憶手段４４に記憶されたプレカット業者Ａに対して納品した木材の在庫本数３本から引き当てを行い、この引き当てを行った木材の本数３本を木材業者Ｘがプレカット業者Ａから受注した木材の本数１６本から差し引いた残り本数１３本に基づいて各プレカット業者に納品する木材のバンドル数を算出する。この例では、プレカット業者Ａに納品する木材のバンドル数は１となる。
【００４５】
このとき、プレカット業者Ａにバンドル数１で納品するため、納品する木材の本数は２０本である。ここで、在庫本数算出手段４３は、プレカット業者Ａに納品する木材の本数２０本から、プレカット業者Ａから受注した木材の本数１６本を差し引くとともに、前述の引き当てを行った木材の在庫本数３本を加えた本数７本を、プレカット業者Ａにおける木材の在庫本数として在庫本数記憶手段４４に記憶する。
【００４６】
次に、プレカット業者Ａから木材２２本の発注を受注手段４１により受け付けると、バンドル数算出手段４２は、在庫本数記憶手段４４に記憶されたプレカット業者Ａに対して納品した木材の在庫本数７本から引き当てを行い、この引き当てを行った木材の本数７本を木材業者Ｘがプレカット業者Ａから受注した木材の本数２２本から差し引いた残り本数１５本に基づいて各プレカット業者に納品する木材のバンドル数を算出する。この例では、プレカット業者Ａに納品する木材のバンドル数は１となる。
【００４７】
このとき、プレカット業者Ａにバンドル数１で納品するため、納品する木材の本数は２０本である。ここで、在庫本数算出手段４３は、プレカット業者Ａに納品する木材の本数２０本から、プレカット業者Ａから受注した木材の本数２２本を差し引くとともに、前述の引き当てを行った木材の在庫本数７本を加えた本数５本を、プレカット業者Ａにおける木材の在庫本数として在庫本数記憶手段４４に記憶する。
【００４８】
このように、本実施形態におけるプレカット管理システムでは、各プレカット業者から各木材業者に対してのプレカット製品の製造に必要な本数の木材の発注を受け付けると、この発注に対して在庫本数記憶手段４４に記憶された各プレカット業者に対して納品した木材の在庫本数から引き当てを行い、この引き当てを行った木材の在庫本数を各木材業者が各プレカット業者から受注した木材の本数から差し引いた残り本数に基づいて各プレカット業者に納品する木材のバンドル数を算出するので、各木材業者は各プレカット業者へバンドル数単位で木材を納品することが可能である。
【００４９】
また、このプレカット管理システムでは、各プレカット業者にバンドル数単位で納品する木材の本数から、各プレカット業者から受注した木材の本数を差し引くとともに、前述の引き当てを行った木材の在庫本数を加えた本数を、各プレカット業者における木材の在庫本数として算出し、在庫本数記憶手段４４に記憶するので、各木材業者が各プレカット業者に納品した木材の在庫本数を管理することができる。したがって、各木材業者が新たな加工装置を導入することなく、各プレカット業者における在庫を管理することができるので、各プレカット業者においての在庫管理は不要となる。
【産業上の利用可能性】
【００５０】
本発明のプレカット管理システム、プレカット管理プログラムおよびプレカット管理方法は、住宅物件用のプレカット製品を木材から製造するプレカットにおける木材の在庫管理を行うためのものとして有用である。
【符号の説明】
【００５１】
１，２，３  コンピュータ
４  サーバコンピュータ
５  プレカット装置
１０  記憶手段
１１  ＣＡＤ入力手段
１２  作図手段
１３  加工データ生成手段
１４  サーバアクセス手段
２０  記憶手段
２１  サーバアクセス手段
２２  プレカット装置制御手段
３０  記憶手段
３１  サーバアクセス手段
４０  発注手段
４１  受注手段
４２  バンドル数算出手段
４３  在庫本数算出手段
４４  在庫本数記憶手段
【図１】
2011134083.tif 000003
【図２】
2011134083.tif 000004
【図３】
2011134083.tif 000005
【図４】
2011134083.tif 000006
【図５】
2011134083.tif 000007
【図６】
2011134083.tif 000008
【図７】
2011134083.tif 000009
【図８】
2011134083.tif 000010
【図９】
2011134083.tif 000011
【図１０】
2011134083.tif 000012